(57)【特許請求の範囲】
【請求項１】
底面部（１１）の左右両側から側壁部（１２ａ，１２ｂ）がそれぞれ立設された凹状脚収納部（１５）を有し、
空気の給排により膨張収縮するエアセル（８ａ，８ｂ）が前記側壁部（１２ａ，１２ｂ）に設けられた脚用空気マッサージ機において、
前記底面部（１１）には、左右方向中間部が突出状に形成されたマット体（２７）が敷設され、
前記マット体（２７）は、外力により突出状でなくなるように変形することが可能であり、
前記マット体（２７）は、クッション材よりなる脚載用マット（２９）がカバー体（３３）に覆われて構成されており、
前記脚載用マット（２９）は、断面が凸状となっており、
前記凸状の高さは、側壁部（１２ａ，１２ｂ）の高さの半分以下とされており、
前記側壁部に設けられたエアセル（８ａ，８ｂ）は、底面部（１１）に向かうようにカーブしながら突出膨張することを特徴とする脚用空気マッサージ機。
【請求項２】
前記脚載用マット（２９）は、略平坦な左右両側の平坦部（３０）と左右の平坦部（３０）の間に形成された分離丘（３１）とが一体的に形成されたクッション材を備えていることを特徴とする請求項１記載の脚用空気マッサージ機。
【請求項３】
前記マット体（２７）は、底面部（１１）に対して着脱自在であることを特徴とする請求項１又は２記載の脚用空気マッサージ機。
【請求項４】
前記底面部（１１）は、略平坦面又は凹曲面に形成されていることを特徴とする請求項１〜３のいずれかに記載の脚用空気マッサージ機。
【請求項５】
座部（３）を有する椅子本体と、前記座部（３）の前部にフットレスト（４）として備えられた脚用空気マッサージ機と、を有している椅子型マッサージ装置において、
前記脚用空気マッサージ機は底面部（１１）の左右両側から側壁部（１２ａ，１２ｂ）がそれぞれ立設された凹状脚収納部（１５）を有し、
空気の給排により膨張収縮するエアセル（８ａ，８ｂ）が左右の側壁部にそれぞれ設けられており、
前記底面部（１１）には、凹状脚収納部（１５）内を左右に区分けする分離丘（３１）が設けられ、
前記分離丘（３１）は、
外力により突出状でなくなるように変形することが可能であり、
断面が凸状であり、
前記底面部（１１）に対して着脱自在とされており、
当該分離丘の高さは、側壁部（１２ａ，１２ｂ）の高さの半分以下とされており、
前記側壁部に設けられたエアセル（８ａ，８ｂ）は、底面部（１１）に向かうようにカーブしながら突出膨張することを特徴とする椅子型マッサージ装置。
【請求項６】
前記分離丘（３１）はクッション材により形成されていることを特徴とする請求項５記載の椅子型マッサージ装置。
【請求項７】
座部（３）を有する椅子本体と、前記座部（３）の前部にフットレスト（４）として備えられた請求項1〜４のいずれかに記載の脚用空気マッサージ機と、を有している椅子型マッサージ装置であって、
前記マット体（２７）は、座部（３）から凹状脚収納部（１５）の底面部（１１）にわたって敷設されていることを特徴とする椅子型マッサージ装置。
【発明の詳細な説明】
【０００１】
【発明の属する技術分野】
本発明は、脚用空気マッサージ機及び椅子型マッサージ装置に関するものである。
【０００２】
【従来の技術】
脚用空気マッサージ機としては、特開平１０−２９５７５３号公報（以下、「従来技術」という）に開示されているように、椅子型マッサージ機の一部としてフットレストに採用されたものが知られている。
前記従来技術では、脚載せ部（フットレスト）の内底面に左右両側に左右両側壁部が設けられ、脚載せ部の左右方向中央部に分離丘が膨出状に設けられ、この分離丘の両側で左右の脚を振り分けて保持できるようになっている。そして、左右両側壁部の内側面と分離丘の左右両側面には対向状にエアセルが設けられている。このエアセルは、空気の給排によって伸縮し、このエアセルの伸縮動作によって両脚の両側面を挟持状に指圧することができる。
【０００３】
【発明が解決しようとする課題】
前記従来技術では、脚載せ部に保持された両脚の間に分離丘が存在する。この分離丘は、脚載せ部と一体的に形成されているため、脚載せ部の形状が複雑化し、コスト高を招いていた。
しかし、分離丘が存在しないと、両脚を振り分け保持できない。特に、分離丘は、脚を分離丘と側壁との間で位置決めして、側壁部のエアセルによる脚への押圧を効果的に行うのに重要であるが、分離丘が存在しないと、効果的な押圧ができない。
【０００４】
本発明は、上記問題に鑑みてなされたものであり、脚用空気マッサージ機の基本構成を簡素にしつつ、分離丘を設けるための新たな技術を提案することを目的とする。
また、本発明の他の目的は、分離丘による両脚の拘束感を減少させ、リラックス感を向上させることにある。
【０００５】
上記目的を達成するために、本発明は次の技術的手段を採用した。すなわち、本発明の特徴は、底面部の左右両側から側壁部がそれぞれ立設された凹状脚収納部を有し、空気の給排により膨張収縮するエアセルが前記側壁部に設けられた脚用空気マッサージ機において、前記底面部には、左右方向中間部が突出状に形成されたマット体が敷設され、前記マット体は、外力により突出状でなくなるように変形することが可能であり、前記マット体は、クッション材よりなる脚載用マットがカバー体に覆われて構成されており、前記脚載用マットは、断面が凸状となっており、前記脚載用マットの凸状の高さは、側壁部の高さの半分以下とされており、前記側壁部に設けられたエアセルは、底面部に向かうようにカーブしながら突出膨張する点にある。かかる構成によれば、凹状脚収納部に分離丘を設ける必要がなく、凹状脚収納部の構成を簡素化できる。しかも、凹状脚収納部に分離丘を備えていなくとも、凹状脚収納部に敷設された左右方向中間部が突出状に形成されたマット体によって、両脚をマット体の左右に振り分けて置くことができる。しかも、側壁部に設けられたエアセルは、底面部に向かうようにカーブしながら突出膨張するため、脚の側部を押圧しても、押圧方向に脚が逃げようとするのをマット体が受け止めるので、効果的な押圧が行える。
【０００６】
さらに、前記脚載用マットは、略平坦な左右両側の平坦部と左右の平坦部の間に形成された分離丘とが一体的に形成されたクッション材を備えているのが好適である。この場合、分離丘の左右両側の平坦部の上に左右の脚をそれぞれ載せることができる。この平坦部はクッション材からなるので、脚の載せ心地が良好であるとともに、分離丘もクッション材であるから、従来技術のような硬い分離丘に比べて、分離丘が変形可能であるから、脚の拘束感が低く、リラックス感が向上する。
【０００７】
また、前記マット体は、底面部に対して着脱自在であるのが好適である。分離丘を備えたマット体が、底面部に対して着脱自在であることにより、マット体を底面部から取り外すと、分離丘もなくなる。分離丘がなくなれば、分離丘による脚の拘束感がなくなる。したがって、マッサージをしないときには、マット体を取り外して、リラックスした状態又は姿勢（例えば、脚を組んだ状態）で凹状脚収納部に脚を載せることができる。
さらにまた、前記底面部は、略平坦面又は凹曲面に形成されているのが好適である。
【０００８】
また、椅子型マッサージ装置に関する本発明の特徴は、座部を有する椅子本体と、前記座部の前部にフットレストとして備えられた脚用空気マッサージ機において、前記脚用空気マッサージ機は底面部の左右両側から側壁部がそれぞれ立設された凹状脚収納部を有し、空気の給排により膨張収縮するエアセルが左右の側壁部にそれぞれ設けられており、前記底面部には、凹状脚収納部内を左右に区分けする分離丘が設けられ、前記分離丘は、外力により突出状でなくなるように変形することが可能であり、断面が凸状であり、前記底面部に対して着脱自在とされており、前記分離丘の高さは、側壁部の高さの半分以下とされており、前記側壁部に設けられたエアセルは、底面部に向かうようにカーブしながら突出膨張する点にある。かかる構成によれば、分離丘が存在するので、両脚を分離丘の左右に振り分けて置くことができる。さらに、分離丘を底面部から取り外すことができるので、マッサージをしないときなどに、分離丘を底面部から取り外しておくことで、分離丘による脚の拘束感がなくなり、リラックスした状態又は姿勢（例えば、脚を組んだ状態）で凹状脚収納部に脚を載せることができ、リラックス感を向上させることができる。また、分離丘の高さが、側壁部の高さに比べて低いと、脚の拘束感が低く、リラックス感が向上する。しかも、側壁部に設けられたエアセルは、底面部に向かうようにカーブしながら突出膨張するため、脚の側部を押圧しても、押圧方向に脚が逃げようとするのを分離丘が受け止めるので、効果的な押圧が確保される。
【０００９】
また、前記分離丘はクッション材により形成されているのが好適である。従来技術のような硬い分離丘に比べて、分離丘が変形可能であるから、脚の拘束感が低く、リラックス感が向上する。
【００１０】
また、座部を有する椅子本体と、前記座部の前部にフットレストとして備えられたマット体付き前記脚用空気マッサージ機と、を有している椅子型マッサージ装置であって、前記マット体は、座部から凹状脚収納部の底面部にわたって敷設されているのが好適である。
【００１１】
【発明の実施の形態】
以下、本発明の実施形態を図面に基づいて説明する。
図１は、椅子型マッサージ装置１を示している。この椅子型マッサージ装置１は、背もたれ部２及び座部３を有する椅子本体を具備し、座部３の前部にはフットレスト（脚載部）４を備えている。
背もたれ部２は、座部３後部との連結部を支点として左右の軸心まわりに回動自在に設けられており、図１の位置から後方に倒すことができるようにリクライニング機構を備えている。すなわち、背もたれ部２は、起伏自在に設けられている。
【００１２】
また、フットレスト４は、座部３前部との連結部を支点として左右の軸心まわりに回動自在に設けられており、図１の位置から回動して上昇させることができる。フットレスト４の底面がほぼ水平状態になるまで上昇させると、使用者は脚を伸ばした状態で座ることができる。これに加えて、背もたれ部２を後方に倒すと使用者は横臥状態となることができる。
前記背もたれ部２、座部３、フットレスト４には、それぞれ、使用者にマッサージを施すためのマッサージ手段が設けられている。具体的には、背もたれ部２には、モータ駆動により揉み玉を動作させて使用者の背中にマッサージを施すマッサージユニット（図示省略）が設けられている。また、座部３には、空気の給排により膨張収縮して、使用者のお尻や太ももに押圧マッサージを施すためのエアセル（図示省略）が設けられている。なお、座部３のエアセルと、後述のフットレスト４のエアセルに対して給排気を行うための給排気装置は、座部３の下方に備えられている（図示省略）。
【００１３】
本発明の脚用空気マッサージ機は、本実施形態においては、前記フットレスト４に採用されている。脚用空気マッサージ機でもあるフットレスト４は、両脚が載せられる底面部１１と、底面部１１の左右両側端から立設された左右側壁部１２ａ，１２ｂによって構成される１つの凹状脚収納部１５を有している。
図２に示すように、凹状脚収納部１５には、１つの溝状の凹部内に両脚Ｌ１，Ｌ２を並べて置くことができるものであり、このため左右の側壁１２ａ，１２ｂの間隔は両脚Ｌ１，Ｌ２を入れることができる程度に設定されている。また、底面部１１は略平坦に形成されている。あるいは、底面部１１を凹曲面状に形成してもよい。
【００１４】
底面部１１及び側壁部１２ａ，１２ｂは、合成樹脂などで一体的に形成されており、内部に後述のエアセル８ａ，８ｂに接続される空気配管などが配置される。
図２及び図３に示すように、側壁部１２ａ，１２ｂの内面（他方の側壁との対向面）には、エアセル８ａ，８ｂがそれぞれ設けられている。左右の側壁部内面１６，１６に設けられたエアセル８ａ，８ｂ（以下、「側面エアセル」ともいう）は、図示しない給排気装置と配管を介して接続されている。これらの側面エアセル８ａ，８ｂは、空気が供給されることにより膨張収縮し、側壁部内面１６，１６から突出状に膨張することによって凹状脚収納部１５に収納された両脚Ｌ１，Ｌ２の外側の部位を押圧する。つまり、一方の側壁部１２ａ（図２及び図３において左側の側壁部）の内面１６に設けられた第１側面エアセル８ａは、他方の側壁部１２ｂ側に突出状に膨張し、他方の側壁部１２ｂ（図２及び図３において右側の側壁部１２ｂ）の内面１６に設けられた第２側面エアセル８ｂは、一方の側壁部１２ａ側に突出状に膨張する。
【００１５】
なお、底面部１１にはエアセルは設けられていない。ただし、底面部１１にエアセルを設けてもよい。
第１及び第２側面エアセル８ａ，８ｂは合成樹脂製のシート材を袋状に形成して構成されている。図２に示すように、エアセル８ａ，８ｂはエアセル内部から空気が排出されたときは収縮して平坦状であり、エアセル内部に空気が供給されたときは膨張するように形成されている。
エアセル８ａ、８ｂは、大きな膨張を可能とするために、その周端縁はシート材が折り畳み状とされた蛇腹構造となっている。エアセル８ａ，８ｂに空気が供給されると周縁の蛇腹が伸びて大きく膨張することができ、エアセルから空気が排出されると蛇腹２０が収縮して薄く平坦になるまで小さくなることができる。
【００１６】
ここで、エアセル８ａ、８ｂの底面部１１寄りは、蛇腹の伸長がある程度規制されており、エアセル８ａ，ａ８が設けられている面１６から真っ直ぐ突出するように膨張するのではなく、図３のように底面部１１に向かうようにカーブしながら突出膨張（以下、「カーブ膨張」ともいう）する。
すなわち、第１及び第２エアセル８ａ，８ｂの凹状脚収納部１５の上部開口寄りの部分２４，２４が大きく膨張して、側壁部１２ａ，１２ｂからの突出量が大きくなる。これに比べ、第１及び第２側面エアセル８ａ，８ｂの底面部１１寄りの部分２３，２３は小さく膨張し、側壁部１２ａ，１２ｂからの突出量は小さい。したがって、図３に示すように、第１及び第２側面エアセル８ａ，８ｂは、脚Ｌ１，Ｌ２を底面部１１ａ側に押し付けつつ脚Ｌ１，Ｌ２の側部を押圧することができる。
【００１７】
なお、エアセル８ａ，８ｂは、面１６から真っ直ぐ突出膨張するものであってもよい。
底面部１１と側壁部１２ａ，１２ｂからなる凹状脚収納部１５と、エアセル８ａ、８ｂは、カバー体２５によって被覆されている。このカバー体２５は、凹状脚収納部１５とエアセル８ａ，８ｂが外部に露出しないように覆うためのものであり、エアセルの膨張を考慮して伸縮性の良い布が採用されている。なお、図３ではカバー体２５は省略して描かれている。
【００１８】
カバー体２５によって覆われた凹状脚収納部１５の底面部１１の上には、マット体２７が敷設されている。このマット体２７は、座部３の上にも載せられるものであり、座部用マット２８と脚載用マット２９とが一体的に連結されて構成されている。
座部用マット２８は、ウレタン又は低反発ウレタン等のクッション材を座部に合わせて平面視矩形状に形成してなる。また、脚載用マット２９もウレタン又は低反発ウレタン等のクッション材を底面部１１に合わせて平面視矩形状に形成してなる。脚載用マット２９は、左右方向の断面形状が凸状となるように、左右両側が略平坦な面とされた平坦部３０，３０を有し、平坦部３０，３０が左右方向中央に向かうに従って徐々に高くなった分離丘３１が平坦部３０と一体的に形成されている。
【００１９】
分離丘３１は、凹状脚収納部１５に収納される脚長手方向に長く形成されており、底面部１１の脚長手方向一端側から他端側までほぼ全長にわたって左右の平坦部３０を区切るように形成されている。
座部用マット２８と脚載用マット２９は、カバー体３３によって包み覆われて、一つのマット体２７を構成している。カバー体３３は、布又は革製であり、座部用マット２８と脚載用マット２９を包むように縫製されている。なお、座部用マット２８と脚載せ用マット２９とは離れて配置されており、両マット２８，２９の間はクッション材が非配置とされ、この部分３５でマット体２７を二つ折りすることができる折り畳み部とされている。
【００２０】
このマット体２７を椅子型マッサージ装置１に装着させると、図１のようになる。マット体２７の椅子型マッサージ装置１への装着は、面ファスナーやフックなど適宜手段によって行われるが、面ファスナーのように着脱自在な手段を採用するのが好ましい。
図１〜図３のマット体２７装着状態では、分離丘３１は、凹状脚収納部１５の底面の左右中央部に位置して突出し、凹状脚収納部１５を左右方向に２つに区切っている。使用者の両脚Ｌ１，Ｌ２は、分離丘３１によって区分けされた左右の平坦部３０，３０の上にそれぞれ載せられる。分離丘３１が存在することにより、凹状脚収納部１５内で両脚Ｌ１，Ｌ２を振り分けした状態で位置決めが行える。
【００２１】
また、側壁部１２ａ，１２ｂに設けられたエアセル８ａ，８ｂで脚Ｌ１，Ｌ２を側方向から押圧すると、その押圧力によって両脚Ｌ１，Ｌ２は近接するように移動して押圧に対して逃げようとするが、かかる移動は分離丘３１によって防止されているので、効果的な押圧が行える。つまり、分離丘３１が両脚Ｌ１，Ｌ２の間に位置して外側方からのエアセル８ａ，８ｂの押圧による力を受け止めているので、脚Ｌ１，Ｌ２が逃げることなく効果的に押圧が行える。
特に、本実施形態では、エアセル８ａ、８ｂは、底面部１１に向かうカーブ膨張により脚Ｌ１，Ｌ２を底面部１１に押さえつけながら脚Ｌ１，Ｌ２側部を押圧することから、このカーブ膨張による底面部１１への押付力により、ある程度、脚が逃げるのを防止していることから、分離丘３１の高さを大きくしなくとも、脚Ｌ１，Ｌ２の近接を十分に防止できる。そこで、本実施形態では、分離丘３１の底面部１１からの高さを側壁部１２ａ，１２ｂの半分以下としている。従来は、分離丘３１の高さは側壁部１２ａ，１２ｂの高さと同一であったので、脚の規制感・拘束感が大きかったが、本実施形態では、分離丘３１の高さが低く抑えられているので、規制感・拘束感が少ない。なお、本実施形態では、分離丘３１の高さは、側壁部１２ａ，１２ｂの高さの１／３程度としている。
【００２２】
なお、脚を底面部に押さえつけながら膨張するエアセルとしては、図示の形態のものに限られない。例えば、側壁部１２ａ，１２ｂ上部にエアセルを２枚重ねにして側壁部１２ａ，１２ｂ上部側が大きく膨張するようにしたり、エアセルを側壁部１２ａ，１２ｂ上部よりにだけ設けることで脚を底面部に押さえ付けながら膨張することができる。
また、エアセル８ａ，８ａとしては、脚を底面部に押さえ付ける作用が少ないもの又はその作用無いものであってもよい。分離丘３１によって両脚Ｌ１，Ｌ２の近接防止が図られているからである。
【００２３】
さらに、分離丘３１は、クッション材から構成されているので、分離丘３１は外力により変形可能であり、突出状でなくなるように変形することも可能である。しかも、分離丘３１の高さは比較的低いことから、分離丘３１の上に脚Ｌ１，Ｌ２が載るような姿勢をとることができる。例えば、椅子に座った使用者が、脚Ｌ１，Ｌ２を組んだ状態で脚Ｌ１，Ｌ２をマット体２７（底面部１１）に載せることもできる。このとき、分離丘３１は押しつぶされるように変形する。すなわち、分離丘３１による区分けを無視して脚を凹状脚収納部１５に載せることができる。
【００２４】
以上のように、本実施形態のフットレスト４では、脚Ｌ１，Ｌ２を左右に振り分けて位置決めすることもできるし、分離丘３１に関係なく比較的自由に脚Ｌ１，Ｌ２を載せることもできる。
近年の椅子型マッサージ基はリラックスチェアとしても用いることができるように、マッサージをしないときの座り心地も重視される傾向にあるため、本実施形態のように、分離丘３１に関係なく自由に脚Ｌ１，Ｌ２を載せることができるということは、拘束感が少なく、リラックスチェアとしても座り心地のよいものとなっている。
【００２５】
前述のように、マット体２７は、椅子型マッサージ装置１に対して着脱自在である。このマット体２７は、椅子型マッサージ装置１の付加的な構成であり、マット体２７が取り付けられていない状態でも、使用者が座ることができるとともに、装置１の使用も行える。
マット体２７は、座部３に対して面ファスナなどで着脱自在に取り付けられており、図５に示すように、折り畳み部３５を基点として、マット体２７の脚載用マット２９の部分をめくり上げて、フットレスト４とマット体２７を分離させることができる。
【００２６】
フットレスト４とマット体２７を分離させることで、底面部１１と分離丘３１を分離させることができる。底面部１１から分離丘３１を取り外すことで、底面部１１には一層自由に脚Ｌ１，Ｌ２を載せることができるのでリラックスチェアとして使用する場合に最適である。
なお、フットレスト４とマット体２７の分離は、マット体２７を椅子型マッサージ装置１から完全に取り外したり、めくり上げた脚載せ用マット２９を座部用マット２８の上に重ねて二つ折りにした状態とすることで行える。
【００２７】
図６は、マット体２７の他の実施形態を示している。ここでは、座用マット２８と脚載用マット２９とは別のカバー体３３，３３によって覆われて構成されている。座用マット２８前部と脚載用マット２９の後部は、面ファスナー３８などによって着脱自在に連結されており、椅子型マッサージ装置１に取り付けられた座用マット２８から分離丘３１を有する脚用マット２９を分離させることで、分離丘３１を底面部１１から分離させることができる。したがって、マッサージをしないときには、脚載用マット２９を取り外して底面部１１の上に直接脚を載せることができる。この場合、分離丘３１がないので脚の拘束感が少なく、リラックス感が良好となる。
【００２８】
なお、座用マット２８と脚載用マット２９を連結すれば図４のマット体２７と同様に使用でき、両脚の位置決めが行える。
図７は、マット体２７の更に他の実施形態を示している。ここでは、分離丘３１は、マット体２７とは別体とされているとともに、マット体２７に着脱自在に設けられている。このマット体２７は、脚載用マット２９が分離丘を有さず平坦に形成されている点以外は、図４のマット体２７と同様である。別体の分離丘３１は、クッション材が布などのカバー体によって覆われて構成されており、底面４０が平坦であり上面４１が円弧状の形状をなしている。この分離丘３１は、図４の分離丘３１と同様に、マット体２７上に置かれる脚長手方向に長く形成されている。なお、分離丘３１の形状は特に限定されない。
【００２９】
分離丘３１の底面４０には、面ファスナー４５などの着脱自在な取付手段が設けられている。この面ファスナー４５によって別体の分離丘３１をマット体２７に取り付けることができ、分離丘３１がマット体２７に取り付けられると、図４のマット体と同様に使用でき、両脚の位置決めが行える。
一方、分離丘３１を取り外すと、分離丘３１がないので脚の拘束感が少なく、リラックス感が良好になる。
図８は、フットレスト４の他の実施形態を示している。このフットレスト４は、図２のフットレスト４と異なり、マット体２７が敷設されていない。その代わりに、底面部１１に対して着脱自在な分離丘５１が設けられている。分離丘５１は、図７の分離丘３１と同様の構成であり、図示しない面ファスナなどの着脱自在な取付手段によって底面部１１に取り付けられる。底面部１１にこの分離丘５１が敷設されていると、図４のマット体２７と同様に両脚の位置決めが行える。
また、分離丘５１を取り外すと、脚の拘束感が少なく、リラックス感が良好になる。また、別の観点からみると、この分離丘５１は、左右に平坦部を有しないマット体といえる。
【００３０】
なお、本発明は、上記実施形態に限定されるものではなく、特許請求の範囲記載の発明の範囲内で様々な変形が可能である。例えば、本発明の脚用空気マッサージ機として椅子型マッサージ装置の一部を構成するフットレストに採用したものを例示したが、独立した脚載せ台（オットマン）に採用してもよい。
【００３１】
【発明の効果】
底面部に左右方向中間部が突出状に形成された分離丘を有するマット体が敷設されているという構成を採用すると、分離丘はマット体に形成されているので、凹状脚収納部に分離丘を設ける必要がなく、凹状脚収納部の構成を簡素化できる。しかも、凹状脚収納部に分離丘を備えていなくとも、凹状脚収納部に敷設されたマット体によって、分離丘が形成されるので、両脚を分離丘の左右に振り分けて置くことができる。しかも、側壁部に設けられたエアセルで脚の側部を押圧しても、押圧方向に脚が逃げようとするのを分離丘が受け止めるので、効果的な押圧が行える。
【００３２】
また、前記底面部には凹状脚収納部内を左右に区分けする分離丘が設けられ、当該分離丘は、前記底面部に対して着脱自在とされているという構成を採用すると、分離丘を底面部から取り外すことができるので、マッサージをしないときなどに、分離丘を底面部から取り外しておくことで、分離丘による脚の拘束感がなくなり、リラックスした状態又は姿勢（例えば、脚を組んだ状態）で凹状脚収納部に脚を載せることができ、リラックス感を向上させることができる。
【図面の簡単な説明】
【図１】椅子型マッサージ装置の斜視図である。
【図２】フットレスト（脚用空気マッサージ機）の断面図である。
【図３】エアセルが膨張したときのフットレスト断面図である。
【図４】マット体の全体図である。
【図５】マット体をめくりあげたときの椅子型マッサージ装置の斜視図である。
【図６】マット体の別実施形態を示す斜視図である。
【図７】マット体の別実施形態を示す斜視図である。
【図８】フットレストの別実施形態を示す断面図である。
【符号の説明】
１  椅子型マッサージ機
２  座部
４  フットレスト（脚用空気マッサージ機）
１１  底面部
１２ａ  側壁部
１２ｂ  側壁部
１５  凹状脚収納部
２７  マット体
３０  平坦部
３１  分離丘
【図１】
0004630491.tif 000002
【図２】
0004630491.tif 000003
【図３】
0004630491.tif 000004
【図４】
0004630491.tif 000005
【図５】
0004630491.tif 000006
【図６】
0004630491.tif 000007
【図７】
0004630491.tif 000008
【図８】
0004630491.tif 000009